(57)【特許請求の範囲】
【請求項１】
一個のフレーム（１）および一個のモーター（２）を有する放熱ファンにおいて、フレーム（１）には一個の受け部（１ａ）、一個の封止部（１ｂ）と一個の側壁部（１ｃ）が含まれ、側壁部（１ｃ）は受け部（１ａ）と封止部（１ｂ）の間に位置し、受け部（１ａ）、封止部（１ｂ）と側壁部（１ｃ）の間には一個の収容空間（１１）が形成され、側壁部（１ｃ）には収容空間（１１）と連通するための少なくとも一個の側面風入口（１２）と少なくとも一個の側面風出口（１３）が設けられ、モーター（２）はフレーム（１）の収容空間（１１）に結合され、モーター（２）には一個のステータ（２１）と一個のファンホイール（２２）が含まれ、ファンホイール（２２）は回動自在にステータ（２１）と結合し、ファンホイール（２２）には一個のハブ（２２１）と複数個の羽根（２２２）が設けられ、ハブ（２２１）は一個の上面（２２３）を有し、上面（２２３）は封止部（１ｂ）に向くように形成され、上面（２２３）と封止部（１ｂ）の間では収容空間（１１）において一個の側方向流路（２３）が区隔して形成され、それぞれの羽根（２２２）は側方向流路（２３）内に位置するように形成され、ハブ（２２１）の外周面には径方向に延びるように一個の環状片（２２４）が形成され、羽根（２２２）は環状片（２２４）に設けられ、そして封止部（１ｂ）の軸方向に向いて延びるように形成され、環状片（２２４）が封止部（１ｂ）に向く一つの表面とハブ（２２１）の上面（２２３）の間には一つの高さの差を有するように形成されることを特徴とする放熱ファン。
【請求項２】
ファンホイール（２２）の軸方向において、側面風入口（１２）の開口の高さは封止部（１ｂ）と上面（２２３）の水平位置の間に位置するように形成されることを特徴とする請求項１に記載の放熱ファン。
【請求項３】
ファンホイール（２２）の軸方向において、側面風出口（１３）の開口の高さは封止部（１ｂ）と上面（２２３）の水平位置の間に位置するように形成されることを特徴とする請求項１に記載の放熱ファン。
【請求項４】
側面風入口（１２）はファンホイール（２２）の羽根（２２２）の位置に位置合わせするように形成されることを特徴とする請求項２に記載の放熱ファン。
【請求項５】
側面風出口（１３）はファンホイール（２２）の羽根（２２２）の位置に位置合わせするように形成されることを特徴とする請求項３に記載の放熱ファン。
【請求項６】
受け部（１ａ）には一個の凹部（１４）が形成され、凹部（１４）は収容空間（１１）に位置され、モーター（２）のステータ（２１）は凹部（１４）に結合され、ファンホイール（２２）のハブ（２２１）は凹部（１４）内に収容されることを特徴とする請求項１、２、３、４または５に記載の放熱ファン。
【請求項７】
側面風入口（３２）には一個の導流部（３２１）が形成されることを特徴とする請求項１、２、３、４または５に記載の放熱ファン。
【請求項８】
受け部（１ａ）は一個の底座からなり、側壁部（１ｃ）は上記底座の側周縁から軸方向に延伸して互いに隣接する複数個の側壁からなり、封止部（１ｂ）は一個の蓋板からなり、上記蓋板は上記側壁と結合し、上記蓋板と底座の間には収容空間（１１）が形成され、側面風入口（１２）と側面風出口（１３）はそれぞれ隣接する二個の側壁に設けられることを特徴とする請求項１、２、３、４または５に記載の放熱ファン。
【請求項９】
受け部（３ａ）は一個の底座からなり、側壁部（３ｃ）は上記底座の側周縁から軸方向に延伸して互いに隣接する複数個の側壁からなり、封止部（３ｂ）は一個の蓋板からなり、上記蓋板は上記側壁と結合し、上記蓋板と底座の間には収容空間（３１）が形成され、側面風入口（３２）と側面風出口（３３）はそれぞれ互いに対向する二個の側壁に設けられることを特徴とする請求項１、２、３、４または５に記載の放熱ファン。
【請求項１０】
羽根（２２２）はハブ（２２１）に一体に結合されることを特徴とする請求項１、２、３、４または５に記載の放熱ファン。
【請求項１１】
フレーム（１）の受け部（１ａ）には少なくとも一個の貫穿孔（１５）が形成されることを特徴とする請求項１、２、３、４または５に記載の放熱ファン。
【請求項１２】
ファンホイール（２２）のそれぞれの羽根（２２２）はハブ（２２１）の上面（２２３）に結合され、そして封止部（１ｂ）の軸方向に向いて延びるように形成されることを特徴とする請求項１、２、３、４または５に記載の放熱ファン。
【請求項１３】
上記高さの差は羽根（２２２）の軸方向の高さの０．５倍より小さくまたは同じになるように形成されることを特徴とする請求項１に記載の放熱ファン。
【発明の詳細な説明】
【技術分野】
【０００１】
本発明は、放熱ファンに関するもので、特に、ファンホイールの径方向において気流を径方向に導入したり導出したりすることができる放熱ファンに係わるものである。
【背景技術】
【０００２】
従来の放熱ファンとしては、凡そ軸流式放熱ファンと送風式放熱ファンの二種類が含まれる。その中に軸流式放熱ファンは軸方向においてそれぞれ相対する一個の軸方向風入口と一個の軸方向風出口を有し、上記軸方向風入口を経由して気流を導入し、それから再び上記軸方向風出口を経由して気流を導出することにより、放熱の効果を提供することができる。一方、送風式放熱ファンでは軸方向において一個の軸方向風入口を有し、さらに径方向において一個の径方向風出口を有し、上記軸方向風入口を経由して気流を導入し、それから再び上記径方向風出口を経由して側面方向に気流を導出することにより、同様に放熱の効果を提供することができる。
【０００３】
しかし、軸流式放熱ファンについて言えば、気流を導引して軸方向に向かって風を排出して放熱を行うだけであって、気流を導引して径方向に向いて風を排出して放熱を行うことができない。そのため、軸流式放熱ファンを各種の電子製品に応用させる時、熱源の上方（例えばノートパソコンのＣＰＵの上）に組み立てなければならないため、電子製品の軸方向の高さを低く抑えることができない。また、送風式放熱ファンについて言えば、径方向風出口を経由して側面方向に導出気流を導出することができるが、依然として軸方向風入口を利用して気流を導入しなければならないため、側面方向から経由して気流を導入する電子製品（例えば携帯電話またはパーソナルディジタルアシスタントなど）には適用できない。
【０００４】
そのため、市場においては径方向に気流を導入したり導出したりすることにより、側面方向を経由して気流を導入する電子製品に適用することができる従来の放熱ファンが開発された。例えば、中華民国公告第５５３３２３号の「水平対流のファンの構造」（特許文献１を参照）と図９に掲示されている放熱ファンを参照すると、従来の放熱ファン８には一個の枠座８１と一個のファンホイール８２が含まれる。枠座８１には少なくとも一個の風入口８１１と少なくとも一個の風出口８１２が含まれ、風入口８１１と風出口８１２の間には一個の水平気流通路８１３が設けられる。ファンホイール８２は水平気流通路８１３に設けられる。さらにファンホイール８２には一個のハブ８２１が含まれ、ハブ８２１の外周面には複数個の羽根８２２が形成されるため、ファンホイール８２が回動される時、風入口８１１と風出口８１２の間において気体の圧力差が生じることにより、風入口８１１と風出口８１２の間には水平気流通路８１３に沿って対流が生じ、そして放熱が形成されるようにしたものである。
【０００５】
また、従来の放熱ファンとして、例えば中華民国公告第４７７４９２号の「送風ファンの結合構造」（特許文献２を参照）と図１０に掲示されている放熱ファンを参照すると、従来の放熱ファン９には一個のローター座９１、一個のファンホイール９２と一個の外枠９３が含まれる。ローター座９１には複数個の突出部９１１が含まれ、ファンホイール９２には複数個の凹部９２１が含まれ、凹部９２１と突出部９１１は互いに結合するように形成される。外枠９３はローター座９１とファンホイール９２を収容するのに用いられ、外枠９３には一個の風入口９３１と一個の風出口９３２が設けられるため、ファンホイール９２が回動される時、同様に気流を導引して径方向に風入口９３１を経由して外枠９３の内部まで導入され、さらに風出口９３２を経由して気流を導出して放熱が形成されるようにしたものである。
【先行技術文献】
【特許文献】
【０００６】
【特許文献１】中華民国公告第５５３３２３号
【特許文献２】中華民国公告第４７７４９２号
【発明の概要】
【発明が解決しようとする課題】
【０００７】
上記の図９に掲示されるような従来の放熱ファンにおいては、一般的に次のような問題点を有している。放熱ファン８のファンホイール８２が水平気流通路８１３に設けられる時、ファンホイール８２の羽根８２２が気流を導引して水平気流通路８１３に沿って対流が生じる過程において、ファンホイール８２のハブ８２１も水平気流通路８１３内に位置することにより、ファンホイール８２の羽根８２２によって導引される気流はハブ８２１の妨げを受け易く乱流の現象が生じるため、従来の放熱ファン８の全体の放熱の効果は低くなるという問題点があった。
【０００８】
また、上記の図１０に掲示されるような従来の放熱ファンにおいては、一般的に次のような問題点を有している。放熱ファン９のローター座９１とファンホイール９２は全て風入口９３１と風出口９３２の間に形成される気流の通路に位置するため、ファンホイール９２によって導引される気流も同様にローター座９１の妨げを受け易く、乱流の現象が生じてしまう。さらに、ファンホイール９２は他にローター座９１と組立を行わなければならないため、組立上において極めて不便になるという問題点があった。このように、従来の放熱ファンはさらなる改良を必要とするものであった。
【０００９】
本発明はこのような問題点に鑑みて発明されたものであって、その主な目的とするところは、ファンホイールが径方向で気流を導入したり導出したりする過程において、気流が妨げを受けるのを有効に防止することができる放熱ファンを提供することである。
【００１０】
本発明の第二の目的は、ファンホイールの構造によって風圧と風量を有効に高めることができる放熱ファンを提供することである。
【課題を解決するための手段】
【００１１】
上記目的を達成するために、本発明による放熱ファンは、一個のフレームおよび一個のモーターを有する。フレームには一個の受け部、一個の封止部と一個の側壁部が含まれる。側壁部は受け部と封止部の間に位置し、受け部、封止部と側壁部の間には一個の収容空間が形成される。側壁部には収容空間と連通するための少なくとも一個の側面風入口と少なくとも一個の側面風出口が設けられる。モーターはフレームの収容空間に結合される。モーターには一個のステータと一個のファンホイールが含まれる。ファンホイールは回動自在にステータと結合する。ファンホイールには一個のハブと複数個の羽根が設けられ、ハブは一個の上面を有し、上面は封止部に向くように形成され、上面と封止部の間では収容空間において一個の側方向流路が区隔して形成され、それぞれの羽根は側方向流路内に位置するように形成される。ハブの外周面には径方向に延びるように一個の環状片が形成され、羽根は環状片に設けられ、そして封止部の軸方向に向いて延びるように形成される。環状片が封止部に向く一つの表面とハブの上面の間には一つの高さの差を有するように形成される。
【００１２】
また、ファンホイールの軸方向において、側面風入口の開口の高さは封止部と上面の水平位置の間に位置するように形成されることもできる。また、ファンホイールの軸方向において、側面風出口の開口の高さは封止部と上面の水平位置の間に位置するように形成されることもできる。また、側面風入口はファンホイールの羽根の位置に位置合わせするように形成されることもできる。また、側面風出口はファンホイールの羽根の位置に位置合わせするように形成されることもできる。また、受け部には一個の凹部が形成され、凹部は収容空間に位置され、モーターのステータは凹部に結合され、ファンホイールのハブは凹部内に収容されることもできる。また、側面風入口には一個の導流部が形成されることもできる。また、受け部は一個の底座からなり、側壁部は底座の側周縁から軸方向に延伸して互いに隣接する複数個の側壁からなり、封止部は一個の蓋板からなり、蓋板は側壁と結合し、蓋板と底座の間には収容空間が形成され、側面風入口と側面風出口はそれぞれ隣接する二個の側壁に設けられることもできる。また、受け部は一個の底座からなり、側壁部は底座の側周縁から軸方向に延伸して互いに隣接する複数個の側壁からなり、封止部は一個の蓋板からなり、蓋板は側壁と結合し、蓋板と底座の間には収容空間が形成され、側面風入口と側面風出口はそれぞれ互いに対向する二個の側壁に設けられることもできる。また、羽根はハブに一体に結合されることもできる。また、フレームの受け部には少なくとも一個の貫穿孔が形成されることもできる。また、ファンホイールのそれぞれの羽根はハブの上面に結合され、そして封止部の軸方向に向いて延びるように形成されることもできる。また、高さの差は羽根の軸方向の高さの０．５倍より小さくまたは同じになるように形成されることもできる。
【発明の効果】
【００１３】
本発明の放熱ファンによれば、ファンホイールが径方向で気流を導入したり導出したりする過程において、気流が妨げを受けるのを有効に防止することができるという利点がある。
【００１４】
本発明の放熱ファンによれば、ファンホイールの構造によって風圧と風量を有効に高めることができるという利点がある。
【図面の簡単な説明】
【００１５】
【図１】図１は、本発明の実施例１の放熱ファンの分解斜視図である。
【図２】図２は、本発明の実施例１の放熱ファンのＡ−Ａ線に沿った組み立てられた状態の断面図である。
【図３】図３は、本発明の実施例２の放熱ファンの分解斜視図である。
【図４】図４は、本発明の実施例２の放熱ファンのＢ−Ｂ線に沿った組み立てられた状態の断面図である。
【図５】図５は、本発明の実施例２の放熱ファンのもう一つの実施形態の組み立てられた状態の断面図である。
【図６】図６は、本発明の放熱ファンの受け部に貫穿孔が設けられる場合の組み立てられた状態の断面図である。
【図７】図７は、本発明の放熱ファンのファンホイールに環状片が設けられる場合の組み立てられた状態の断面図である。
【図８】図８は、本発明の放熱ファンのファンホイールと従来のファンホイールのテスト結果の説明図である。
【図９】図９は、従来の第一種の放熱ファンの外観の斜視図である。
【図１０】図１０は、従来の第二種の放熱ファンの組み立てられた状態の断面図である。
【発明を実施するための形態】
【００１６】
本発明の実施の形態について、以下、図面を参照して説明する。
【実施例１】
【００１７】
図１は本発明の実施例１の放熱ファンの分解斜視図で、図２は本発明の実施例１の放熱ファンの組み立てられた状態の断面図である。図１、２を参照すると、本発明の実施例１の放熱ファンには一個のフレーム１と一個のモーター２が含まれる。フレーム１は気流が径方向で流動することができるフレームの構造からなる。モーター２はフレーム１の内部に結合される。
【００１８】
フレーム１はモーター２を収容するのに用いられ、かつ気流が径方向で導入したり導出したりして流動することができる中空フレーム構造からなる。フレーム１には少なくとも一個の受け部１ａ、一個の封止部１ｂと一個の側壁部１ｃが含まれる。受け部１ａと封止部１ｂは隔てて相対するように形成され、側壁部１ｃは受け部１ａと封止部１ｂの間に位置するように形成される。また、受け部１ａ、封止部１ｂと側壁部１ｃの間には一個の収容空間１１が形成され、そして側壁部１ｃには少なくとも一個の側面風入口１２と少なくとも一個の側面風出口１３が設けられ、少なくとも一個の側面風入口１２と少なくとも一個の側面風出口１３は収容空間１１に連通するように形成される。
【００１９】
本実施例において、受け部１ａは一個の底座からなり、側壁部１ｃは上記底座の側周縁から軸方向に延伸して互いに隣接する複数個の側壁からなり、封止部１ｂは一個の蓋板からなり、上記蓋板は上記側壁の上端縁（図式の方向を主にして）に結合され、上記蓋板と底座の間には収容空間１１（側壁は収容空間１１を囲む）が形成され、側面風入口１２と側面風出口１３はそれぞれ上記側壁に設けられ、そして収容空間１１と連通するように形成される。その中に、図１に示すように、側面風入口１２と側面風出口１３はそれぞれ隣接する二個の側壁に設けられ、または互いに対向する二個の側壁に設けられる。また、受け部１ａが底座からなる場合、上記底座の中央にはさらに一個の凹部１４が形成される。凹部１４は収容空間１１に位置されることにより、モーター２を簡単に凹部１４内に取り付けることができる。
【００２０】
モーター２はフレーム１に結合される。モーター２には一個のステータ２１と一個のファンホイール２２（すなわち、ローターである）が含まれ、ステータ２１はファンホイール２２が回動するように駆動するのに用いられる。ファンホイール２２には一個のハブ２２１と複数個の羽根２２２が設けられ、ハブ２２１には一個の上面２２３が形成され、上面２２３は封止部１ｂに向くように形成され、上面２２３と封止部１ｂの間では収容空間１１において一個の側方向流路２３が区隔して形成され（図４を参照し、すなわちハブ２２１は側方向流路２３の外に位置する）、それぞれの羽根２２２は側方向流路２３内に位置するように形成され、そしてそれぞれの羽根２２２は好ましくはハブ２２１に結合される。
【００２１】
本実施例において、モーター２のステータ２１はフレーム１の凹部１４に結合され、ファンホイール２２のハブ２２１は回動自在にステータ２１と結合し、そしてハブ２２１も凹部１４内に収容される。ハブ２２１は一個の基板２２１ａと一個の環状壁２２１ｂによって構成され、上面２２３は基板２２１ａに位置するように形成され、環状壁２２１ｂは基板２２１ａを囲むように、かつ凹部１４内に収容するように形成される。また、羽根２２２が側方向流路２３内に位置するようにする設計思想に基づいて、羽根２２２は依然として図示の如く基板２２１ａの上面２２３に結合されると同時に、封止部１ｂの方向に向いて軸方向に延びるように形成され、さらに羽根２２２の下端縁の部分は環状壁２２１ｂの外周面まで延びるように形成される。或いは、羽根２２２も単独的に基板２２１ａの上面２２３に結合することができる。また、本実施例において、羽根２２２は基板２２１ａの上面２２３に一体になるように形成されることにより、組立て上の便利性を高めることができる。
【００２２】
本発明の放熱ファンを実際に使用する時、モーター２のステータ２１によって生じられる交番磁界でファンホイール２２が回動するように駆動することができる。これにより、放熱ファンが各種の電子製品に組み立てられる時、ファンホイール２２の羽根２２２によって側面風入口１２から外部の気流を導入して側方向流路２３に進入し、それから再び側面風出口１３を経由して外部の空間まで導出することにより、各種の電子製品が作動時に生じる熱源に対して要求される放熱作用を提供することができる。
【００２３】
本発明の放熱ファンの主な技術的特徴は、ファンホイール２２の径方向において径方向で側面風入口１２と側面風出口１３を経由して気流を導入したり導出したりすることができ、そして放熱ファンが各種の電子製品に適用される時、放熱ファンを熱源の上方に組み立てる必要がないため、電子製品の軸方向の高さを低く抑えることができるとともに、放熱ファンによって側面風出口１３の周辺に位置する熱源に対してよりよい補助的な放熱効果を提供することができる。さらにもっと重要なことは、ファンホイール２２が気流を導引して側面風入口１２と側面風出口１３を経由して側方向流路２３に進出する過程において、ハブ２２１が側方向流路２３の外に位置するように形成されることにより、側方向流路２３において羽根２２２だけを有するように確保することができるため、羽根２２２が導引する気流はハブ２２１の妨げを受け難く、乱流の現象が生じるのを効果的に防止することができるとともに、全体の放熱効果を高めることができる。
【実施例２】
【００２４】
図３は本発明の実施例２の放熱ファンの分解斜視図で、図４は本発明の実施例２の放熱ファンの組み立てられた状態の断面図である。図３、４を参照すると、本発明の実施例２の放熱ファンにも同様に一個のフレーム３と一個のモーター４が含まれる。
【００２５】
本発明の実施例２のフレーム３とモーター４にそれぞれ掲示されている受け部３ａ、封止部３ｂ、側壁部３ｃ、収容空間３１、側面風入口３２、側面風出口３３、ステータ４１、ファンホイール４２、ハブ４２１、基板４２１ａ、環状壁４２１ｂ、羽根４２２、上面４２３は、実施例１の受け部１ａ、封止部１ｂ、側壁部１ｃ、収容空間１１、側面風入口１２、側面風出口１３、ステータ２１、ファンホイール２２、ハブ２２１、基板２２１ａ、環状壁２２１ｂ、羽根２２２、上面２２３と略同様に形成されるため、ここではその説明を割愛する。
【００２６】
本発明の実施例２に掲示されている受け部３ａは同様に一個の底座からなり、側壁部３ｃは上記底座の側周縁から延伸して互いに隣接する複数個の側壁からなり、封止部３ｂは一個の蓋板からなる。実施例２の放熱ファンと実施例１の放熱ファンの主な差異は、受け部３ａに実施例１と同様な凹部１４の設計を有せず、モーター４のステータ４１は直接底座（受け部３ａ）の中央の表面に結合される。また、上面４２３と封止部３ｂの間では同様に収容空間３１において一個の側方向流路４３が区隔して形成され、側面風入口３２と側面風出口３３は図３に示すようにそれぞれ互いに対向する二個の側壁（側壁部３ｃ）に設けられる。その中に、ファンホイール４２の軸方向において、側面風入口３２と側面風出口３３の開口の高さ（ｈ）は封止部３ｂと上面４２３の水平位置の間に位置され、そして側面風入口３２と側面風出口３３をそれぞれファンホイール４２の羽根４２２の位置に位置合わせするように形成させることにより、ハブ４２１は相対的に二個の側壁（側壁部３ｃ）の内側に位置するように形成される。このため、ファンホイール４２が側面風入口３２を経由して気流を導入する時、気流がハブ４２１の妨げを受け難くなることを確実にすることができる。
【００２７】
また、上述した側面風入口３２と側面風出口３３の開口の高さ（ｈ）が封止部３ｂと上面４２３の水平位置の間に位置するのは、本発明の好ましい実施例だけである。図５は本発明の実施例２の放熱ファンのもう一つの実施形態の組み立てられた状態の断面図で、図５を参照すると、ファンホイール４２の軸方向において、本発明の放熱ファンの側面風出口３３の開口の高さ（ｈ）は受け部３ａから封止部３ｂまで延びるように形成されることにより、風の排出量を増やすこともできる。また、側面風入口３２の開口の高さ（ｈ）は受け部３ａから封止部３ｂまで延びるように、そして相対的に一個の拡径状の導流部３２１が形成されることによって風の排出量を増やすこともできるとともに、ファンホイール４２によって気流をさらに簡単に導入して側方向流路４３に進入させることができる。
【００２８】
図６は本発明の放熱ファンの受け部に貫穿孔を設ける場合の組み立てられた状態の断面図である。図６を参照して、再び実施例１の放熱ファンを例にして説明する（実施例２の放熱ファンも適用する）。フレーム１の受け部１ａには少なくとも一個の貫穿孔１５が設けられることにより、貫穿孔１５は気流が流通するのに用いられる。モーター２がフレーム１の収容空間１１に結合され、そしてフレーム１の受け部１ａには貫穿孔１５が設けられる設計であると、貫穿孔１５は気流が流通するのに用いられるため、モーター２の放熱効果を高めることができる。
【００２９】
図７は本発明の放熱ファンのファンホイールに環状片を設ける場合の組み立てられた状態の断面図である。図７を参照して、再び実施例１の放熱ファンを例にして説明する（実施例２の放熱ファンも適用する）。ファンホイール２２’にも同様にハブ２２１、羽根２２２と上面２２３などの技術的特徴を有する。その中に、ハブ２２１の外周面には径方向に延びるように一個の環状片２２４が形成され、羽根２２２は環状片２２４に設けられ、そして封止部１ｂの軸方向に向いて延びるように形成される。
【００３０】
その他に、ファンホイール２２’の軸方向において、環状片２２４が封止部１ｂに向く一つの表面と上面２２３の間は平らな状態になるように、または環状片２２４が封止部１ｂに向く一つの表面と上面２２３の間が略一定の高さの差（ｄ）を有するように形成されることにより、環状片２２４が封止部１ｂに向く一つの表面と上面２２３の間が平らな状態になる場合、側方向流路２３には羽根２２２しか存在しないことを確保することができるため、羽根２２２が導引する気流はハブ２２１の妨げを受け難くなる。また、環状片２２４が封止部１ｂに向く一つの表面と上面２２３の間に略一定の高さの差（ｄ）を有する場合、さらに上記高さの差（ｄ）を利用して羽根２２２の導流面積を有効に増やすことができるため、ファンホイール２２’の風進入量と風排出量をさらに増やすことができる。そして、ハブ２２１は上記高さの差（ｄ）によって羽根２２２の導引する気流が側方向流路２３における風進入と風排出の効果に影響を及ぼすのを避けるべく、上記高さの差（ｄ）の範囲は好ましくは下記の公式に符合するように形成される。
高さの差（ｄ）≦０.５Ｈ
ここにおいて、Ｈはファンホイール２２’の軸方向において、羽根２２２の全体的な軸方向の高さを示す。
【００３１】
図８は本発明の放熱ファンのファンホイールと従来のファンホイールのテスト結果の説明図である。図８は高さの差（ｄ）が範囲に符合する数値におけるファンホイールの構造のテスト図であり、その中にＬ１は高さの差（ｄ）＞０.５Ｈのファンホイールの構造を示し、Ｌ２は高さの差（ｄ）≦０.５Ｈのファンホイール２２’の構造を示し、そのテストの結果から知ることができるように、高さの差（ｄ）≦０.５Ｈのファンホイール２２’の構造は高さの差（ｄ）＞０.５Ｈのファンホイールの構造よりも風圧と風量を同時に高めることができる。
【００３２】
上述の如く、ファンホイール２２、２２’、４２が気流を導引して側面風入口１２、３２と側面風出口１３、３３を経由して側方向流路２３、４３に進出する過程において、本発明の放熱ファンの側方向流路２３、４３の構造の設計によれば、乱流の現象が生じるのを有効に防止することができるとともに、放熱の効果を有効に高めることができる。
【００３３】
本発明は、その精神とび必須の特徴事項から逸脱することなく他のやり方で実施することができる。従って、本明細書に記載した好ましい実施例は例示的なものであり、限定的なものではない。
【符号の説明】
【００３４】
１    フレーム
１ａ    受け部
１ｂ    封止部
１ｃ    側壁部
１１    収容空間
１２    側面風入口
１３    側面風出口
１４    凹部
１５    貫穿孔
２    モーター
２１    ステータ
２２    ファンホイール
２２’    ファンホイール
２２１    ハブ
２２１ａ    基板
２２１ｂ    環状壁
２２２    羽根
２２３    上面
２３    側方向流路
２２４    環状片
３    フレーム
３ａ    受け部
３ｂ    封止部
３ｃ    側壁部
３１    収容空間
３２    側面風入口
３２１    導流部
３３    側面風出口
４    モーター
４１    ステータ
４２    ファンホイール
４２１    ハブ
４２１ａ    基板
４２１ｂ    環状壁
４２２    羽根
４２３    上面
４３    側方向流路
８    放熱ファン
８１    枠座
８１１    風入口
８１２    風出口
８１３    水平気流通路
８２    ファンホイール
８２１    ハブ
８２２    羽根
９    放熱ファン
９１    ローター座
９１１    突出部
９２    ファンホイール
９２１    凹部
９３    外枠
９３１    風入口
９３２    風出口
【図１】
0005395843.tif 000002
【図２】
0005395843.tif 000003
【図３】
0005395843.tif 000004
【図４】
0005395843.tif 000005
【図５】
0005395843.tif 000006
【図６】
0005395843.tif 000007
【図７】
0005395843.tif 000008
【図８】
0005395843.tif 000009
【図９】
0005395843.tif 000010
【図１０】
0005395843.tif 000011